(57)【要約】【課題】プリンタ装置において、省エネモード状態（スタンバイモード）において省電力化を図る。【解決手段】プリンタ装置１は、装置を制御するコアブロック部５０とＩ／Ｏブロック部６０を有するＡＳＩＣ部４０と、コア電源部３２とＩ／Ｏ電源部３３を有する電源部３０を備え、コアブロック部５０は、ＣＰＵ５１、電源モード検知部５２、基本クロック発生回路５３を含み、Ｉ／Ｏブロック部６０は、高次クロック信号を発生するＰＬＬ回路６２とＩ／Ｏ電源スイッチ６３を含む。ＣＰＵ５１は、電源モード検知部５２でスタンバイモードを検知すると、Ｉ／Ｏ電源スイッチ６３によりＩ／Ｏブロック部６０への電源を遮断し、クロック切替部５４により高次クロック信号から切替えた基本クロック信号でコアブロック部５０を駆動する。これにより、スタンバイモード時におけるＡＳＩＣ部４０の消費電力を削減して、装置全体の消費電力を削減することができる。【選択図】図３
2008260130.tif 000002
【特許請求の範囲】
【請求項１】
用紙を搬送する回転ローラのモータを駆動するモータ駆動手段と、
前記用紙に画像を印刷する印刷ヘッドを駆動するヘッド駆動手段と、
本装置に接続される外部機器と通信するインターフェース手段と、
ユーザへのメッセージを表示する表示手段と
電源回路を有し、本装置の動作に必要な電源を供給する電源手段と、
前記電源手段から本装置への電源投入の指示操作を行うための電源キーと、
本装置の動作を制御する制御手段と、
を備えたプリンタ装置において、
前記プリンタ装置の電源モードは、前記電源キーによる電源オン時に、本装置の動作に必要な電力を供給する動作モードと、電源オフ時に、本装置の一部に電力を供給する省電力モード（スタンバイモード）とのいずれか１つであり、
前記制御手段は、本装置の制御用の回路を有すると共に、該回路を駆動させるクロック信号を発生させるＡＳＩＣ部を備え、
前記ＡＳＩＣ部は、本装置の主制御部となるＣＰＵを含むコアブロック部と、該ＡＳＩＣ部により制御される周辺回路部と電気信号を送受信すると共に、本装置の制御用プログラム及び制御用データの格納を行うＲＯＭ及びＲＡＭを含むＩ／Ｏブロック部を有し、
前記電源回路は、前記コアブロック部に所定の電圧を供給するコア電源部と、前記Ｉ／Ｏブロック部に所定の電源を供給するＩ／Ｏ電源部を備え、
前記コアブロック部は、前記コア電源部から電源が常時供給されると共に、前記電源キーから入力されるキー信号に基き、前記電源のオン、オフを検知する電源モード検知部と、前記ＣＰＵを動作させるために必要な最低周波数の基本クロック信号を発生する基本クロック発生回路と、前記ＡＳＩＣ部を駆動するクロック信号を切替えるクロック切替部とを備え、
前記Ｉ／Ｏブロック部は、前記ＣＰＵで制御され、前記Ｉ／Ｏ電源部から供給される電源のオン、オフを切替えるＩ／Ｏ電源スイッチと、前記基本クロック発生回路からの基本クロック信号を基に、その整数倍の周波数を持つ高次クロック信号を発生するＰＬＬ回路を有し、
前記コアブロック部のＣＰＵは、
前記動作モード時には、前記電源キーからのキー信号を基に電源モード検知部で検知された電源オンの検知信号に基き、前記Ｉ／Ｏ電源スイッチをオンさせて、前記Ｉ／Ｏブロック部にＩ／Ｏ電源部の電源を供給すると共に、前記ＰＬＬ回路で前記基本クロック信号を基に高次クロック信号を発生させて、該高次クロック信号により前記コアブロック部と前記Ｉ／Ｏブロック部を駆動し、
前記スタンバイモード時には、前記電源キーからのキー信号を基に前記電源モード検知部で検知された電源オフの検知信号に基き、前記Ｉ／Ｏ電源スイッチをオフさせて、前記Ｉ／Ｏブロック部へのＩ／Ｏ電源部からの電源供給を遮断すると共に、前記クロック切替部によりクロック信号を該高次クロック信号から前記基本クロック信号に切替えて、該基本クロック信号を基に前記コアブロック部を駆動することにより、
前記スタンバイモード時における前記ＡＳＩＣ部の消費電力を削減することを特徴とするプリンタ装置。
【請求項２】
電源回路を有し、本装置の動作に必要な電源を供給する電源手段と、
前記電源手段から本装置への電源投入の指示操作を行う電源キーと、
本装置の動作を制御する制御手段と、
を備えたプリンタ装置において、
前記プリンタ装置の電源モードは、前記電源キーによる電源オン時に、本装置の動作に必要な電力を供給する動作モードと、電源オフ時に、本装置の一部に電力を供給する省電力モード（スタンバイモード）とのいずれか１つであり、
前記制御手段は、本装置の制御用の回路を有するＡＳＩＣ部を備え、
前記ＡＳＩＣ部は、本装置の主制御部となるＣＰＵを含むコアブロック部と、該ＡＳＩＣ部により制御される周辺回路部と電気信号を送受するＩ／Ｏブロック部を有し、
前記電源回路は、前記コアブロック部に所定の電圧を供給するコア電源部と、前記Ｉ／Ｏブロック部に所定の電源を供給するＩ／Ｏ電源部を備え、
前記コアブロック部は、前記コア電源部から電源が常時供給されると共に、前記電源のオン、オフを検知する電源モード検知部を備え、
前記Ｉ／Ｏブロック部は、前記Ｉ／Ｏ電源部から供給される電源のオン、オフを切替えるためのＩ／Ｏ電源スイッチを有し、
前記コアブロック部のＣＰＵは、
前記動作モード時には、前記電源モード検知部で検知された電源オンの検知信号に基き、前記Ｉ／Ｏ電源スイッチをオンさせて、前記Ｉ／Ｏブロック部にＩ／Ｏ電源部の電源を供給し、
前記スタンバイモード時には、前記電源モード検知部で検知された電源オフの検知信号に基き、前記Ｉ／Ｏ電源スイッチをオフさせて、前記Ｉ／Ｏ電源部からのＩ／Ｏブロック部への電源供給を遮断することにより、
前記スタンバイモード時における前記ＡＳＩＣ部の消費電力を削減することを特徴とするプリンタ装置。
【請求項３】
前記コアブロック部は、前記ＣＰＵを動作させるために必要な最低周波数の基本クロック信号を発生する基本クロック発生回路を備え、
前記Ｉ／Ｏブロック部は、前記基本クロック発生回路で発生された基本クロック信号を基に、その整数倍の周波数を持つ高次クロック信号を発生するＰＬＬ回路を有し、
前記ＡＳＩＣ部は、前記コアブロック部と前記Ｉ／Ｏブロック部とにおける制御用の回路を駆動させるクロック信号を発生させ、
前記コアブロック部のＣＰＵは、
前記動作モード時には、前記ＰＬＬ回路で前記高次クロック信号を発生させて、該高次クロック信号により前記コアブロック部と前記Ｉ／Ｏブロック部を駆動し、
前記スタンバイモード時には、前記ＰＬＬ回路からの高次クロック信号を停止させ、前記コアブロック部を基本クロック信号で駆動することにより、
前記スタンバイモード時における前記ＡＳＩＣ部の消費電力を削減することを特徴とする請求項２に記載のプリンタ装置。
【発明の詳細な説明】
【技術分野】
【０００１】
本発明は、省エネモード状態（スタンバイモード）において省電力化を図るプリンタ装置に関する。
【背景技術】
【０００２】
近年、地球環境保護のため、各種電子機器において省エネ化が推進されている。この中で、プリンタ装置や複写機等は、例えば、省エネモード（ｅｎｅｒｇｙ−ｓａｖｅｒ  ｍｏｄｅ）状態における消費電力について、米国ＥＰＡ（環境保護庁）のエナジースター計画においてプリントスピード（複写スピード）毎に消費電力の基準が決められ、非使用時に自動的に消費電力を抑えるように規制されてきている。
【０００３】
ところで、従来のプリンタ装置においては、省エネモード状態（スタンバイモード）において、装置の起動をスムーズにするために、装置の主制御部を形成するＣＰＵを含むＡＳＩＣ等の装置の一部に常時電源が供給されており、これがスタンバイモードにおける消費電力の増加の要因の１つとなっていた。例えば、図４に示すプリンタ装置において、ＡＳＩＣ１００は、ＣＰＵ１１１を含む、電源電圧１．８Ｖで動作するコアブロック部１１０と、電源電圧３．３Ｖで動作するＩ／Ｏブロック部１２０より成っている。このＩ／Ｏブロック部１２０は、ＣＰＵ１１１とのインターフェース等を含む信号処理ブロック１２３と、外部に存在する基本クロック発生回路１４１で発生された基本クロック信号の周波数を整数倍の高次クロック信号にクロックアップするＰＬＬ回路１２２を持ち、この高次クロック信号は、Ｉ／Ｏブロック部１２０と共に、コアブロック部１１０のＣＰＵ１１等に常時供給されていた。また、Ｉ／Ｏブロック部１２０においては、電源オン、オフのキー信号を検出して電源の起動状態を検知するキー信号検出部１２４が設けられていた。このＡＳＩＣ１００の構成では、ＰＬＬ回路１２２とキー信号検出部１２４がＩ／Ｏブロック部１２０内にあり、ＣＰＵ１１１がコアブロック部１１０部内にあるので、装置がスタンバイモードにおいても、動作モード時と同じように、ＡＳＩＣ１００全体を常に動作させておく必要があった。また、ＡＳＩＣ１００における各半導体デバイス回路は、装置の機能向上に伴う信号処理速度の高速化により消費電力が増大し、特にＣＰＵ１１１は他の半導体デバイス回路に比較して消費電力が大きい。このように、従来のプリンタ装置では、スタンバイモードにおいて、ＡＳＩＣ１００が常に動作されているので、その消費電力により、装置の消費電力を低減することが困難であった。
【０００４】
ところで、特許文献１に示されるように、電源のオン／オフの切り替えを行う電源スイッチと、ＣＰＵおよびＡＳＩＣを備えた制御装置と、電源装置とを有する電源制御回路であって、電源装置は、電源装置外部からの１乃至複数の入力信号によって制御装置用の電流容量を切り替える電流容量切替手段を有し、負荷状況に応じて電流容量を切り替える電源制御回路が知られている。しかしながら、この電源制御回路では、電源装置において電源容量の切替えを必要とし、回路が複雑化していた。また、装置の電源オフ時の起動モード（スタンバイモード）において、起動されるＣＰＵの省電力化が成されておらず、制御装置の消費電力の削減効果が不十分であった。
【０００５】
また、特許文献２に示されるように、所定の電圧で動作する第１の電子デバイスと所定電圧を最高とし所定の電圧範囲内で動作する第２の電子デバイスの各電子デバイス別に電源を供給する電源供給手段と、第１の電子デバイスへの電源供給をオフするための省エネモードを設定する手段と、第１の電子デバイスへの省エネモードの設定に基いて第１の電子デバイスへの電源供給をオフする手段と、省エネモードの設定により電源供給がオフすると同時に、第２の電子デバイスにおける電圧範囲の最低電圧の電源を出力するように電源供給手段を制御する手段を備えた電源供給装置が知られている。しかしながら、この装置においては、スイッチ回路で制御される出力電圧可変タイプの電源レギュレータを必要とし、装置が複雑となると共に、ＣＰＵ等を含む第２の電子デバイスは、省エネモード時に、電源電圧を切替えた状態で、ＣＰＵはフルパワーで動作しているので必ずしも十分な消費電力の低減にはなっていなかった。
【０００６】
また、特許文献３に示されるように、複数のＲＡＭデバイスに対して個別にクロックを供給する手段と、クロックの供給を個別に停止する手段と、停止したクロックの供給を個別に再開する手段と、プログラムで使用するＲＡＭ領域を判定する手段と使用ＲＡＭ領域とＲＡＭデバイスを対応させる手段と、ＲＡＭデバイスへのクロックの停止／供給を判断する手段と、を備える電子機器装置が知られている。しかしながら、この装置は、ＲＡＭの使用頻度に応じてクロックの供給を停止するものであり、使用頻度計測部、時間測定部等を必要とし、構成が複雑であると共に、ＣＰＵの省電力化には対応できていなかった。
【特許文献１】特開２００４‐３６２４５７号公報
【特許文献２】特開２００４‐１１４３１９号公報
【特許文献３】特開２００２‐１９６９７８号公報
【発明の開示】
【発明が解決しようとする課題】
【０００７】
本発明は、上記の問題を解決するためになされたものであり、省エネモード状態（スタンバイモード）において、省電力化を図ることのできるプリンタ装置を提供することを目的とする。
【課題を解決するための手段】
【０００８】
上記目的を達成するため請求項１の発明は、用紙を搬送する回転ローラのモータを駆動するモータ駆動手段と、前記用紙に画像を印刷する印刷ヘッドを駆動するヘッド駆動手段と、本装置に接続される外部機器と通信するインターフェース手段と、ユーザへのメッセージを表示する表示手段と、電源回路を有し、本装置の動作に必要な電源を供給する電源手段と、前記電源手段から本装置への電源投入の指示操作を行うための電源キーと、本装置の動作を制御する制御手段と、を備えたプリンタ装置において、前記プリンタ装置の電源モードは、前記電源キーによる電源オン時に、本装置の動作に必要な電力を供給する動作モードと、電源オフ時に、本装置の一部に電力を供給する省電力モード（スタンバイモード）とのいずれか１つであり、前記制御手段は、本装置の制御用の回路を有すると共に、該回路を駆動させるクロック信号を発生させるＡＳＩＣ部を備え、前記ＡＳＩＣ部は、本装置の主制御部となるＣＰＵを含むコアブロック部と、該ＡＳＩＣ部により制御される周辺回路部と電気信号を送受信すると共に、本装置の制御用プログラム及び制御用データの格納を行うＲＯＭ及びＲＡＭを含むＩ／Ｏブロック部を有し、前記電源回路は、前記コアブロック部に所定の電圧を供給するコア電源部と、前記Ｉ／Ｏブロック部に所定の電源を供給するＩ／Ｏ電源部を備え、前記コアブロック部は、前記コア電源部から電源が常時供給されると共に、前記電源キーから入力されるキー信号に基き、前記電源のオン、オフを検知する電源モード検知部と、前記ＣＰＵを動作させるために必要な最低周波数の基本クロック信号を発生する基本クロック発生回路と、前記ＡＳＩＣ部を駆動するクロック信号を切替えるクロック切替部とを備え、前記Ｉ／Ｏブロック部は、前記ＣＰＵで制御され、前記Ｉ／Ｏ電源部から供給される電源のオン、オフを切替えるＩ／Ｏ電源スイッチと、前記基本クロック発生回路からの基本クロック信号を基に、その整数倍の周波数を持つ高次クロック信号を発生するＰＬＬ回路を有し、前記コアブロック部のＣＰＵは、前記動作モード時には、前記電源キーからのキー信号を基に電源モード検知部で検知された電源オンの検知信号に基き、前記Ｉ／Ｏ電源スイッチをオンさせて、前記Ｉ／Ｏブロック部にＩ／Ｏ電源部の電源を供給すると共に、前記ＰＬＬ回路で前記基本クロック信号を基に高次クロック信号を発生させて、該高次クロック信号により前記コアブロック部と前記Ｉ／Ｏブロック部を駆動し、前記スタンバイモード時には、前記電源キーからのキー信号を基に前記電源モード検知部で検知された電源オフの検知信号に基き、前記Ｉ／Ｏ電源スイッチをオフさせて、前記Ｉ／Ｏブロック部へのＩ／Ｏ電源部からの電源供給を遮断すると共に、前記クロック切替部によりクロック信号を該高次クロック信号から前記基本クロック信号に切替えて、該基本クロック信号を基に前記コアブロック部を駆動することにより、前記スタンバイモード時における前記ＡＳＩＣ部の消費電力を削減するものである。
【０００９】
請求項２の発明は、電源回路を有し、本装置の動作に必要な電源を供給する電源手段と、前記電源手段から本装置への電源投入の指示操作を行う電源キーと、本装置の動作を制御する制御手段と、を備えたプリンタ装置において、前記プリンタ装置の電源モードは、前記電源キーによる電源オン時に、本装置の動作に必要な電力を供給する動作モードと、電源オフ時に、本装置の一部に電力を供給する省電力モード（スタンバイモード）とのいずれか１つであり、前記制御手段は、本装置の制御用の回路を有するＡＳＩＣ部を備え、前記ＡＳＩＣ部は、本装置の主制御部となるＣＰＵを含むコアブロック部と、該ＡＳＩＣ部により制御される周辺回路部と電気信号を送受するＩ／Ｏブロック部を有し、前記電源回路は、前記コアブロック部に所定の電圧を供給するコア電源部と、前記Ｉ／Ｏブロック部に所定の電源を供給するＩ／Ｏ電源部を備え、前記コアブロック部は、前記コア電源部から電源が常時供給されると共に、前記電源のオン、オフを検知する電源モード検知部を備え、前記Ｉ／Ｏブロック部は、前記Ｉ／Ｏ電源部から供給される電源のオン、オフを切替えるためのＩ／Ｏ電源スイッチを有し、前記コアブロック部のＣＰＵは、前記動作モード時には、前記電源モード検知部で検知された電源オンの検知信号に基き、前記Ｉ／Ｏ電源スイッチをオンさせて、前記Ｉ／Ｏブロック部にＩ／Ｏ電源部の電源を供給し、前記スタンバイモード時には、前記電源モード検知部で検知された電源オフの検知信号に基き、前記Ｉ／Ｏ電源スイッチをオフさせて、前記Ｉ／Ｏ電源部からのＩ／Ｏブロック部への電源供給を遮断することにより、前記スタンバイモード時における前記ＡＳＩＣ部の消費電力を削減するものである。
【００１０】
請求項３の発明は、請求項２に記載のプリンタ装置において、前記コアブロック部は、前記ＣＰＵを動作させるために必要な最低周波数の基本クロック信号を発生する基本クロック発生回路を備え、前記Ｉ／Ｏブロック部は、前記基本クロック発生回路で発生された基本クロック信号を基に、その整数倍の周波数を持つ高次クロック信号を発生するＰＬＬ回路を有し、前記ＡＳＩＣ部は、前記コアブロック部と前記Ｉ／Ｏブロック部とにおける制御用の回路を駆動させるクロック信号を発生させ、前記コアブロック部のＣＰＵは、前記動作モード時には、前記ＰＬＬ回路で前記高次クロック信号を発生させて、該高次クロック信号により前記コアブロック部と前記Ｉ／Ｏブロック部を駆動し、前記スタンバイモード時には、前記ＰＬＬ回路からの高次クロック信号を停止させ、前記コアブロック部を基本クロック信号で駆動することにより、前記スタンバイモード時における前記ＡＳＩＣ部の消費電力を削減するものである。
【発明の効果】
【００１１】
請求項１の発明によれば、スタンバイモードにおいては、Ｉ／Ｏブロック部の電源をオフして、コアブロック部のみを動作させるので、Ｉ／Ｏブロック部の電力を削減でき、装置の消費電力を削減することができる。また、コアブロック部のクロック信号を、ＣＰＵを動作させるために必要な最低周波数の基本クロック信号とするので、ＣＰＵが基本クロック信号の整数倍の高次クロック信号で動作する通常のスタンバイモードの場合に比べ、ＣＰＵの消費電力を大幅に減らすことが出来る。このように、スタンバイモードにおいて、Ｉ／Ｏブロック部の電源オフと、ＣＰＵの基本クロック信号駆動による消費電力の削減により、ＡＳＩＣの消費電力を低減できるので、プリンタ装置全体の消費電力を削減することができる。
【００１２】
請求項２の発明によれば、スタンバイモードにおいて、Ｉ／Ｏブロック部をオフして、コアブロックのみを動作させるので、Ｉ／Ｏブロック部の電力を削減でき、プリンタ装置全体の消費電力を削減することができる。
【００１３】
請求項３の発明によれば、スタンバイモードにおいて、コアブロック部のクロック信号を、ＣＰＵを動作させるために必要な最低周波数の基本クロック信号とするので、通常の高次クロック信号で動作するスタンバイモードの場合に比べ、コアブロック部の消費電力を大幅に減らすことができる。これにより、スタンバイモードにおけるＡＳＩＣの消費電力を低減できるので、プリンタ装置全体の消費電力を削減することができる。
【発明を実施するための最良の形態】
【００１４】
以下、本発明の一実施形態について図面を参照しつつ説明する。図１は、本実施形態に係るプリンタ装置１を示す。このプリンタ装置１は、筐体２と、印刷用の用紙３が装填される給紙トレイ４と、印刷した用紙を排紙する排紙部５と、ユーザへのメッセージ等を表示する液晶デバイス等の表示部６とを備える。また、筐体２には、例えば、コンピュータ等の外部機器とＵＳＢコネクタなどで接続するための外部接続部７、及び本装置１を表示パネルキーで操作するためのキー操作部８が設けられている。
【００１５】
図２は、上記プリンタ装置１の電気的ブロック構成を示す。プリンタ装置１は、上述の構成に加え、本装置の動作を制御する制御部（制御手段）２０と、制御部２０で制御される周辺回路部１０と、本装置の動作に必要な電源を供給する電源部３０（電源手段）とを備える。
【００１６】
周辺回路部１０は、本装置に接続される外部機器と通信するインターフェース部（インターフェース手段）１１と、用紙３を搬送する回転ローラのモータ１２を駆動するモータ駆動部（モータ駆動手段）１３と、用紙３に画像を印刷する印刷ヘッド１４を駆動する印刷ヘッド駆動部（ヘッド駆動手段、プリンタヘッドドライバ）１５と、液晶デバイスの表示部６を駆動する表示駆動部１７とを有する。また、インターフェース部１１は、外部の機器と接続するＵＳＢコネクタとのインターフェースとなるＵＳＢインターフェース（ＵＳＢ−ＩＦ）１８（図３参照）を備えている。
【００１７】
制御部２０は、本装置の制御用の回路を有すると共に、この回路を駆動させるクロック信号を発生させるＡＳＩＣ部４０を備え、このＡＳＩＣ部４０は、コアブロック部５０とＩ／Ｏブロック部６０を有する。
【００１８】
電源部３０は、電源回路３１を有し、電源回路３１は、ＡＳＩＣ部４０のコアブロック部に所定の電圧（１．８Ｖ）を供給するコア電源部３２と、Ｉ／Ｏブロック部６０に所定の電源（３．３Ｖ）を供給するＩ／Ｏ電源部３３を備える。また、キー操作部８は、本装置１への電源投入の指示操作を行うための電源キーを持ち、電源キーのオン、オフで発生するキー信号を制御部２０に送信する。また、本装置の電源モードは、キー操作部８の電源キーによる電源オン時に、本装置の動作に必要な電力を供給する動作モードと、電源オフ時に、本装置の一部に電力を供給する省電力モード（スタンバイモード）とのいずれか１つである。
【００１９】
図３に示すように、コアブロック部５０は、本装置の主制御部となるＣＰＵ５１と、電源キーから入力されるキー信号に基き、電源のオン、オフを検知する電源モード検知部５２と、ＣＰＵ５１を動作させるために必要な最低周波数の基本クロック信号ｆ（例えば、発信周波数が１２ＭＨＺのクロック信号）を発生する基本クロック発生回路５３と、ＡＳＩＣ部４０を駆動するクロック信号を切替えるクロック切替部５４とを備える。この基本クロック信号ｆによる駆動により、ＣＰＵ５１は、少なくとも電源モード検知部５２において電源モードを検知することができる。このコアブロック部５０は、動作モード及びスタンバイモードモードにおいて、常にコア電源部３２から電源が供給されている。このコア電源部３２の電源電圧１．８Ｖは、ＣＰＵ５１の消費電力を下げるため、Ｉ／Ｏブロック部６０の電源電圧３．３Ｖより低く設計されている。また、ＣＰＵ５１は、予め起動に必要なプログラム等を記憶しておくキャッシュメモリ等の最低限必要なメモリを備えている。なお、基本クロック発生回路５３を、コアブロック部５０の外に配して、コア電源部３２の電源電圧１．８Ｖで動作させてもよい。
【００２０】
Ｉ／Ｏブロック部６０は、ＡＳＩＣ部２０により制御される周辺回路部１０と電気信号を送受信する信号処理ブロック６１と、ＣＰＵ５１で制御され、Ｉ／Ｏ電源部３３からＩ／Ｏブロック部６０に供給される電源のオン、オフを切替えるＩ／Ｏ電源スイッチ６３と、コアブロック部５０の基本クロック発生回路５３からの基本クロック信号ｆを基に、クロックアップして、その整数（ｎ）倍の周波数の高次クロック信号ｎｆを発生するＰＬＬ回路６２とを有する。信号処理ブロック６１は、ＣＰＵとのインターフェースとなるＣＰＵ−ＩＦ６４、印刷ヘッド駆動部（プリンタヘッドドライバ）１５とのインターフェースとなるプリントヘッドドライバＩＦ６５、本装置の制御用プログラム及び制御用データの格納を行うＲＡＭ６６及びＲＯＭ６７、及びＵＳＢ―ＩＦ１８を制御するＵＳＢコア６８等を含んでいる。なお、ＰＬＬ回路６２とＩ／Ｏ電源スイッチ６３は、Ｉ／Ｏブロック部６０の外において、Ｉ／Ｏ電源部３３の電源電圧３．３Ｖで動作させてもよい。
【００２１】
上記構成においては、コアブロック部５０のＣＰＵ５１は、動作モード時には、電源キーからのキー信号を基に電源モード検知部５２で検知された電源オンの検知信号に基き、Ｉ／Ｏ電源スイッチ６３をオンさせて、Ｉ／Ｏブロック部６０にＩ／Ｏ電源部３３の電源を供給すると共に、ＰＬＬ回路６２で基本クロック信号（例えば、クロック周波数１２ＭＨＺ）を基にクロックアップさせた高次クロック信号（例えば、クロック周波数９６ＭＨＺ）を発生させて、この高次クロック信号によりコアブロック部５０とＩ／Ｏブロック部６０を駆動する。ＡＳＩＣ部４０は、動作モードにおいて、高次クロック信号により駆動され、本装置１の動作に必要なほぼ全ての機能の制御を行う。なお、ここでは、コアブロック部５０及びＩ／Ｏブロック部６０の電源電圧を１．８Ｖ、３、３Ｖとした例を示したが、これらの電源電圧は、半導体デバイスの進歩により、さらに低下させることができる。
【００２２】
また、スタンバイモード時には、ＣＰＵ５１は、電源キーからのキー信号を基に電源モード検知部５２で検知された電源オフの検知信号に基き、Ｉ／Ｏ電源スイッチ６３をオフさせて、Ｉ／Ｏブロック部６０へのＩ／Ｏ電源部３３からの電源供給を遮断すると共に、クロック切替部５４によりクロック信号を高次クロック信号から基本クロック信号に切替えて、基本クロック信号を基にコアブロック部５０を駆動する。これにより、コアブロック部５０のＣＰＵ５１は、基本クロック信号１２ＭＨｚで駆動される。また、ＣＰＵ５１は、通常、クロック信号の周波数が高くなるほど、その消費電力が大きくなる。従って、例えば、クロック信号の周波数を９６ＭＨｚから１２ＭＨｚまで８分の１に低下させると、ＣＰＵ５１での消費電力も約８分の１に低下する。これにより、スタンバイモード時には、ＣＰＵ５１は、基本クロック信号の１２ＭＨｚで駆動されるので、その消費電力を大幅に削減することができる。また、ＣＰＵ５１は、スタンバイモードがある一定時間継続した後は、自動的にコアブロック部５０を含め装置全体の電源をオフすることが可能である。
【００２３】
このように、本発明の実施形態のプリンタ装置１によれば、スタンバイモードにおいて、Ｉ／Ｏブロック部６０への電源電圧３．３Ｖをオフして、コアブロック部５０のみを動作させるので、Ｉ／Ｏブロック部６０の消費電力分だけＡＳＩＣ４０の消費電力を削減できる。また、電源モード検知部５２をコアブロック部５０に設けたことにより、Ｉ／Ｏブロック部６０がオフ状態でも、電源モードを常に検出できる。また、ＡＳＩＣ４０の中で特に電力を消費するコアブロック部５０のＣＰＵ５１において、駆動用のクロック信号を、ＣＰＵ５１を動作させるために必要な最低周波数の基本クロック信号ｆとするので、通常の高次クロック信号ｎｆで動作するスタンバイモードの場合に比べ、コアブロック部５０の消費電力を約ｎ分の１に大幅に減らすことができる。これにより、スタンバイモードにおいて、ＡＳＩＣ４０は、Ｉ／Ｏブロック部６０の電源オフによる電力削減と、コアブロック部５０の基本クロック周波数での駆動による電力削減との両方により消費電力が低減されるので、プリンタ装置１全体の消費電力を削減することができる。
【００２４】
なお、本発明は上記実施形態の構成に限定されるものではなく、発明の趣旨を変更しない範囲で適宜に種々の変形が可能である。例えば、上記実施形態で形成されたＡＳＩＣは、プリンタ装置以外の画像形成装置や映像音響機器といった、スタンバイモードを備えた各種電子機器等においても同様に適用することができる。
【図面の簡単な説明】
【００２５】
【図１】本発明の一実施形態に係るプリンタ装置の一例を示す斜視図。
【図２】上記装置の電気的ブロック図。
【図３】上記装置におけるＡＳＩＣ部のブロック図。
【図４】従来のプリンタ装置におけるＡＳＩＣ部のブロック図。
【符号の説明】
【００２６】
１  プリント装置
７  表示部（表示手段）
１０  周辺回路部
１１  インターフェース部（インターフェース手段）
１２  モータ
１３  モータ駆動部（モータ駆動手段）
１４  印刷ヘッド
１５  印刷ヘッド駆動部
１６  画像処理部（画像処理手段）
２０  制御部（制御手段）
３０  電源部（電源手段）
３１  電源回路
３２  コア電源部
３３  Ｉ／Ｏ電源部
４０  ＡＳＩＣ部
５０  コアブロック部
５１  ＣＰＵ
５２  電源モード検知部
５３  基本クロック発振回路
５４  クロック切替部
６０  Ｉ／Ｏブロック部
６２  ＰＬＬ回路
６３  Ｉ／Ｏ電源スイッチ
６６  ＲＡＭ
６７  ＲＯＭ
【図１】
2008260130.tif 000003
【図２】
2008260130.tif 000004
【図３】
2008260130.tif 000005
【図４】
2008260130.tif 000006